(57)【要約】【課題】  貼付剤を皮膚に貼着する場合、保護フィルムを剥がしたときに膏体面同士が引っ付くという課題、また一人では手の届かない患部に貼付剤を貼付し難いという課題を有していた。【解決手段】  本貼付剤は、支持体の一方の面に形成した膏体面、支持体の他方の面で膏体を形成していない非膏体面、およびその両面を覆う剥離可能な保護フィルムとからなり、保護フィルムは支持体の対抗して位置する端部で折り曲がった後に膏体面に沿って延伸し、膏体面上で両側から延伸してきた保護フィルムの相対した位置で折り曲げ反転することにより、両手で保護フィルムを引っ張るだけで保護フィルムを剥がすことができ、かつ膏体面同士が引っ付かないように背中、肩、腰等への貼付することができる。【選択図】図１
2015009136.tif 000002
【特許請求の範囲】
【請求項１】
支持体の一方の面に形成された膏体と、前記膏体を形成した膏体面及び前記支持体の他方の面で前記膏体を形成していない非膏体面を覆う剥離用の保護フィルムとからなり、前記保護フィルムは前記非膏体面を覆い前記支持体の対抗して位置する端部で折り曲がった後に前記膏体面に沿って延伸し、前記膏体面上で両側から延伸してきた前記保護フィルムの相対した位置で折り曲げ反転してなる貼付剤。
【請求項２】
支持体の膏体面および非膏体面を覆った保護フィルムの長手方向の両端は、使用時手で把持し易い様に支持体の両端を超えてなる請求項１項記載の貼付剤。
【請求項３】
支持体の膏体面側が保護フィルムと密着している請求項１項又は２項記載の貼付剤
【請求項４】
保護フィルムが重なる部分に前記保護フィルム同士が離れないよう接着を施した請求項１項から３項記載の貼付剤。
【請求項５】
保護フィルムの長手方向の端部を長く延伸させる着脱可能な延伸部材を有してなる請求項１項から４項記載の貼付剤
【発明の詳細な説明】
【技術分野】
【０００１】  本発明は、粘着剤に医薬品を混ぜて布などに塗り、皮膚に貼付して用い、貼付するとき容易に保護フィルムを剥がすことができ、かつ容易に貼付することができる貼付剤に関する。
【背景技術】
【０００２】  従来の貼付剤は膏体面の保護フィルムを剥がし、皮膚に膏体面が当たるように貼り付けて使用するもので、保護フィルムの取り付け方に各種工夫がなされてきた。【０００３】  以下、図９，１０，１１を用いて従来の貼付剤について説明する。伸縮性を有する支持体１０１に膏体１０２を展延し、膏体１０２の全面を第一剥離シート１０３と第二剥離シート１０４で被覆、肩や肘などに貼る場合は第二剥離シート１０４を剥がし露出された膏体１０２面を患部に貼着し、第一剥離シート１０３の摘み部１０５を持って引っ張ることにより、第一シート１０３を剥離すると同時に膏体１０２全面を患部に貼着することができる。【０００４】  膝や足首などに貼る場合は貼付剤の第一摘み部１０５および第二摘み部１０６を持って左右に引っ張り膏体１０２面を露出させ、露出させた膏体１０２面を患部に貼着し、分断された各シートを摘んで左右に引張りシートを剥離すると同時に膏体全面を患部に貼付することができる。（特許文献１参照）【０００５】  一方、他の従来の工夫として自分自身で手の届きにくい身体部分に湿布を貼付できる湿布貼り具を図１２から図１５を用いて説明する。基端２０１に握り部２０２を有すると共に第１挾持板部２０３を一体に有するプラスチック製または木製の本体２０４と、本体２０４の第１挾持板部２０３に対して揺動開閉自在として基端２０１側が本体２０４に枢着されると共に引抜抵抗面２０５を有する第２挾持板部２０６とを具備し、さらに、第１挾持板部２０３の先端２０７を、閉状態の第２挾持板部２０６の先端２０８よりも先端方向へ延設すると共に第２挾持板部２０６の外面２０９の延長平面Ｅに交叉する方向に弯曲させて、湿布Ｓを身体患部へ押付ける際の押さえ部２１０に形成したので、患者が自分自身で手の届きにくい身体患部―――例えば、背中、肩、腰等―――に容易かつ確実に湿布Ｓを貼付することができるもので、湿布Ｓに皺を寄せることなく綺麗に身体患部に貼付することができ、身体の正面の胸部や腹部、腕、脚等の身体患部にも、湿布Ｓを皺なく綺麗に貼付することができる。（特許文献２参照）
【先行技術文献】
【特許文献】
【０００６】
【特許文献１】特開２００７−６８９４８号公報
【特許文献２】特開平２００５−７４１８９号公報
【発明の概要】
【発明が解決しようとする課題】
【０００７】  従来の貼付剤は使用時に保護フィルムを剥がし、用手にて保持して使用する。貼付剤は皮膚に貼るため、皮膚の曲面に沿うように柔らかな布製でできている。そして未使用時、貼付剤は保護フィルムで覆われている。使用時には保護フィルムを剥がすわけであるが、この剥がす動作中に薬面同士が引っ付いて貼付できなかったり、貼付できても皺になったりすることがある。特に背中、肩、腰直視し難い部位に貼付する場合、そのようなことが生じ易い。保護フィルムを剥がすと、単に皺になるだけではなく、薬面同士が引っ付き、元に戻らないという不可逆性を持った状態になり、使い物にならないということが起きていた。【０００８】  伸縮性を有する支持体と２枚の剥離シートで患部への貼付を容易にしようという工夫もこの状態が生じていた。即ち、柔らかい膏体面は皮膚の曲面に沿うために必要であるが、柔らかいと無理な姿勢の場合、変形して膏体面同士が引っ付くという二律背反のところがあった。【０００９】  一方、柔らかい布製の欠点をなくすため湿布貼り具を用いる方法も、その人の関節可動域が不良であれば手の届かないところ、例えば背中、肩、腰等への貼付は困難であるという課題を有していた。【００１０】  容易に保護フィルムを剥がせ、容易に皮膚の曲面に沿って貼付することができ、特に従来品よりも背中、肩、腰等への貼付が容易な貼付剤が求められていた。【００１１】    本発明はこのような従来の構成が有していた問題を解決するものであり、体の中で、容易に手の届く部分はもちろん、手の届き難い部分でも膏体面が引っ付くことなく、皺にならず、かつ、患部に容易に、そしてきれいに貼付できる貼付剤を提供することを目的とする。
【課題を解決するための手段】
【００１２】  本発明は上記目的を達成するために、支持体および支持体の一方の面に形成された膏体と、膏体を形成した膏体面及び支持体の他方の面で膏体を形成していない非膏体面の両面を覆う剥離用の保護フィルムとからなり、非膏体面を覆った保護フィルムは支持体の対抗して位置する両端部でそれぞれ折り曲がった後に膏体面に沿って延伸し、膏体面上で相対した位置で折り曲げ反転するようにしてある。【００１３】  また、支持体の膏体面および非膏体面を覆った保護フィルムの長手方向の両端は、使用時手で把持し易い様に支持体の両端を超える長さにしてある。【００１４】  さらに、支持体の膏体面側は保護フィルムと密着している。
また、保護フィルムが重なる部分に保護フィルム同士が離れないように接着を施してある。【００１５】  また、保護フィルム長手方向の端部を長く延伸させる延伸部材が使用可能である。【００１６】  上記の課題解決手段によれば、貼付剤を側面から見ると一枚の保護フィルムが貼付剤をΩ状に被覆しているので、貼付剤の膏体面側を患部に当て保護フィルムの両端部を持って左右に引張るだけで、保護フィルム同士の接着が外れ、膏体面から順次保護フィルムが剥がれると同時に膏体面が皮膚に貼付されていく。さらに、保護フィルムの膏体面からの剥離が進行中、保護フィルムと膏体面との貼着が存在している間は常に保護フィルムが貼付剤を両長手方向に引っ張るため膏体面は皺になり難い。保護フィルムの折れ曲がりが無くなり保護フィルムと膏体面との貼着が無くなった時点で保護フィルムを体の湾曲に合わせて引っ張ると、保護フィルムが貼付剤を皮膚に押し付け貼付をより強固にする。【００１７】  また、保護フィルムの長手方向両端を支持体より長くすることにより、貼付剤貼付時保護フィルムを把持し易く、かつ、保護フィルムを引っ張る時にも膏体面に手が触れることがないため膏体面が歪んだりせず、保護フィルムをスムーズに剥がし貼付剤を皮膚に貼付することができる。【００１８】  貼付剤をΩ状に被覆した保護フィルムの膏体面を覆う部分と膏体面上で反転した保護フィルムが支持体の両端で貼付剤を覆う部分とが接触するところを軽く接着してあるため、使用前は貼付剤の形態が崩れないようになっている。そして、使用時保護フィルムを引っ張ると接着部分が外れ、その後は体の面に沿ってきれいに張る動作を行うことができる。【００１９】  また貼付剤をΩ状に被覆した保護フィルムの折れ曲がり同士が接する部分でも軽く接着されており、貼付剤を保護フィルムがΩ状に被覆した形態を保っている。即ち、保護フィルムが膏体面上で相対する部分、及び相対した後保護フィルムが膏体面上で反転して膏体面を覆う保護フィルムと重なる部分の一部で接着してあり、貼付剤を保護フィルムがΩ状に被覆した形態を保っている。【００２０】  使用時、保護フィルムを両長手方向に引っ張ると、まず保護フィルムが膏体面上で反転して膏体面を覆う保護フィルムと重なる部分の一部で施してある接着が外れ、保護フィルムに膏体面から剥がれる力が伝わるようになり、保護フィルムが膏体面上で相対する部分の接着も外れ、膏体面が露出されて、皮膚に膏体が貼付できるようになる。【００２１】  そして、保護フィルム長手方向の端部を延伸させる部材を用いれば、背中、肩、腰など直接手が届かない場所でも貼付剤を貼り付けることが可能となる。
その際、皮膚に接触する膏体側の保護フィルム表面にザラザラした感触を付けると、直視できないところでも貼付剤の位置が分かり易く、患部への適切な貼付の一助となる。
【発明の効果】
【００２２】  上述したように、本発明で保護フィルムの被覆を工夫した貼付剤は、保護フィルムを左右に引っ張るだけで患部の曲面に貼付剤をきれいに貼着することができ、他人の手を借りることも特別な器具を用いることもなく、肩や背中に貼付剤を貼着することができるという効果を有する。
【図面の簡単な説明】
【００２３】
【図１】本発明の一実施例である貼付剤の概略立体図
【図２】本発明の一実施例である貼付剤の側面図
【図３】本発明の一実施例である貼付剤使用中の側面図
【図４】本発明の一実施例である貼付剤使用中の側面図
【図５】本発明の一実施例である貼付剤使用中の側面図
【図６】本発明の一実施例である貼付剤使用中の側面図
【図７】本発明の一実施例である貼付剤使用中の側面図
【図８】本発明の一実施例である貼付剤に延伸部材を装着した場合の概略立体図
【図９】従来例の一実施例である貼付剤の概略立体図
【図１０】従来例の一実施例である貼付剤の側面図
【図１１】従来例の一実施例である貼付剤の使用方法を示す説明図
【図１２】従来例の一実施例である湿布貼り具貼付剤の使用状態を示す図
【図１３】従来例の一実施例である湿布貼り具貼付剤の正面図
【図１４】従来例の一実施例である湿布貼り具貼付剤の背面図
【図１５】従来例の一実施例である湿布貼り具貼付剤の側面図
【発明を実施するための形態】
【００２４】    以下に、本発明の一実施例について図面とともに説明する。
図１は本発明の一実施例である貼付剤の概略の立体図である。１は本発明の貼付剤、２は保護フィルムで、長方形の薄い樹脂フィルムを折り曲げた形にしてある。３は貼付剤１の支持体、４は支持体３の一方の面に形成された膏体である。
【００２５】  次に本発明の一実施例である貼付剤１の最終形状に形成する手順について説明する。保護フィルム２を拡げた状態の真ん中辺りに、四角形の支持体３を非膏体面が保護フィルム２に接する様に置き、支持体３の両端（図１、図２のＡで示す）で支持体３を包むように保護フィルム２を折り曲げ膏体４の表面を被覆し、膏体４の面上で支持体３の両端（Ａ）から続く保護フィルム２が相対するところでそれぞれ折り返す。（図１、図２のＢ点で示すところである。）
【００２６】  膏体４の面上で保護フィルム２の折り返しが接触する部分（Ｂ）、および膏体４の面上で折り返った保護フィルム２が支持体３の両端で貼付剤を覆う保護フィルム２と接触する部分（Ｃ）でそれぞれ軽く接着してあるため、通常は保護フィルム２が支持体３を覆った状態を維持しているが、保護フィルム２を両長手方向に引っ張ると上記の接着が外れ膏体が徐々に露出する。
【００２７】  図２は図１に描かれた本発明の一実施例の側面図を表しており、１枚の保護フィルム２が支持体３全体を包み込むように被覆していることを示す。支持体３の非膏体面では保護フィルム２は接しているだけで貼着していないが、膏体４の面では保護フィルム２と膏体４の面は貼着した状態にある。
【００２８】  図２は貼付剤１使用前の状態を示しており、保護フィルム２で支持体３を全て覆っているため、少々変形しても膏体４の面が皺になったり粘着性のある膏体４の面同士が引っ付くことはない。
【００２９】  また、図３に示すように、使用時に皮膚５の上から保護フィルム２の折り曲げ部分であるＢ側を下側にしても同様に皺ができることはない。
【００３０】  以上のように貼付剤１は、通常保護フィルム２が支持体３をしっかり覆っているため、皺にならない状態を保っている。この貼付剤１を実際に使用するときの動作について図４から図７を用いて説明する。
【００３１】  図３は上述した通り、皮膚５の上から保護フィルム２の合わせ部分であるＢの側を当てた状態を示しており、この状態においても保護フィルム２が支持体３を覆っているという形態を保っており、膏体４の粘着性のある部分が露出していないため皺になったり、膏体４の面同士が引っ付くことはない。
【００３２】  図４は貼付剤１の膏体４の面側を皮膚５に当て、保護フィルム２両端を左右に引っ張り膏体４の面中央を露出して皮膚５に密着させた状態を示している。
保護フィルム２の長手方向の両端は支持体３の両端より長く、両手で把持して左右に引っ張ることができるようになっている。
保護フィルム２を両側に引っ張っると、保護フィルム２は膏体４の面を左右に引っ張りながら順次膏体４の面から剥がれ、それと同時に膏体４の面が曲線を帯びた皮膚５に貼着していくため膏体４の面が皺になることも膏体４の面同士が引っ付くこともない。
【００３３】  図５、図６は皮膚５に沿って保護フィルム２両端を引っ張り続けることにより、膏体４の面から順次保護フィルム２が剥がれ膏体４の面が皮膚５に貼着していく状態を示している。
【００３４】  図７は完全に伸展した保護フィルム２が貼付剤１全体を皮膚５に押し付けている状態を示している。
【００３５】  以上の操作により、貼付剤１の膏体４の面を皮膚５側にし、皮膚５に沿って保護フィルム２を左右に引っ張るだけで、容易に貼付剤１を皮膚５に貼付することができる。
【００３６】  従来、貼付剤１を皮膚に貼付する場合、保護フィルムを剥がし膏体４の面同士が引っ付かないように、手で保持しながら患部皮膚に貼付していた。しかし、本発明を用いれば貼付前に保護フィルム２を剥がすことも、膏体４の面同士が引っ付かないように手で保持することも不要となる。
【００３７】  図１、２に示すように保護フィルム２の長手方向の両端は支持体３の両端を数ｃｍ越える程度に形成され、両手で把持し易くなっている。また、保護フィルム２を引っ張る時に膏体４の面に手が触れることがなく、スムーズに引っ張って保護フィルム２を剥がすことができ、膏体４の面が保護フィルム２によって常に両長手方向に引っ張られることになるため膏体面が歪んだりし難く、皮膚特に下肢や体幹前面に貼付し易い。
【００３８】  同じく図１、図２で示す如く、膏体４の面上で保護フィルム２の折り返しが接触する部分（Ｂ）、および膏体４の面上で折り返った保護フィルム２が支持体３の両端で貼付剤を覆う保護フィルム２と接触する部分（Ｃ）で軽く接着してあるため、保護フィルム２を引っ張らない限り、通常は保護フィルム２が支持体３を覆った状態を維持している。
【００３９】  保護フィルム２を両長手方向に引っ張ると、膏体４の面上で折り返った保護フィルム２が支持体３の両端で貼付剤を覆う保護フィルム２と接触する部分（Ｃ）の接着が外れ、次いで膏体４の面上で保護フィルム２の折り返しが接触する部分（Ｂ）の接着も外れ、膏体４が露出していくようになる。
【００４０】  保護フィルムの長手方向の両端を数ｃｍ越える程度に形成した場合、下肢や体幹前面に貼付する場合には使い易いが、手の届き難い背中、肩、腰等に貼付剤を貼着することは困難である。そこで、保護フィルムを支持体の両端から数１０ｃｍ越える程度に形成するか、または図８に示すように延伸部材６を用い保護フィルム２を長くすることで背中、肩、腰等の届き難い箇所にも対応可能となる。即ち、支持体３を全体的に覆う保護フィルム２の長さの調節のみで、同じ原理で保護フィルムを剥がし、曲面を持った皮膚に皺にならずに貼ることができるわけである。なお、延伸部材６は保護フィルム２に接着またはクリップ等で接続し使用する。その際、皮膚に接触する膏体４側の保護フィルム２表面にザラザラした感触を付けると、直視できない場所でも貼付剤１の位置が分かり易く、患部への適切な貼付の一助となる。
【００４１】  上述したように、本発明の貼付剤は貼着手技を容易にし、手の届き難い場所でも一人で、同じ方法で貼付剤を皺にならずに貼着することができるという効果を有する。
【産業上の利用可能性】
【００４２】  以上説明してきたように、本発明を用いれば、保護フィルムを剥がし、手で膏体面が引っ付かないように保持しながら貼付しなければならないという煩わしさなく貼付剤を患部に貼付することができ、手の届かない患部にも一人で貼付剤を貼付することが可能となり、また、独居老人など従来の方法では直接手の届かない患部に貼付剤を貼付できず、疼痛を我慢せざるを得なかった人の苦痛を軽減するという医療上、介護上のメリットは大きいものと考えられる。
【符号の説明】
【００４３】１  貼付剤
２  保護フィルム
３  支持体
４  膏体
５  皮膚
６  延伸部材
【図１】
2015009136.tif 000003
【図２】
2015009136.tif 000004
【図３】
2015009136.tif 000005
【図４】
2015009136.tif 000006
【図５】
2015009136.tif 000007
【図６】
2015009136.tif 000008
【図７】
2015009136.tif 000009
【図８】
2015009136.tif 000010
【図９】
2015009136.tif 000011
【図１０】
2015009136.tif 000012
【図１１】
2015009136.tif 000013
【図１２】
2015009136.tif 000014
【図１３】
2015009136.tif 000015
【図１４】
2015009136.tif 000016
【図１５】
2015009136.tif 000017